(57)【要約】      （修正有）【課題】構造が簡単であり、製造が容易である電磁加熱型焼肉用装置を提供する。【解決手段】電磁加熱型焼肉用装置は、ベースと、電気コイルと、陶磁板と、加熱体と、を含む。加熱体は、電磁コイルの電磁誘導によって加熱されるようにベースの収納部の中に収納されている。ベースの収納部の中には、加熱体を支持する複数の支持脚が設置されている。複数の支持脚の中で、１つ以上の支持脚が導熱性が高い支持脚に構成され、１つ以上の支持脚には、加熱体の温度を検出する温度検出センサーが設置されている。温度検出センサーは、ベースの中の制御システムに電気的に接続されている。【選択図】図３
0003174371.tif 000002
【実用新案登録請求の範囲】
【請求項１】
ベースと、電気コイルと、陶磁板と、加熱体と、を含み、
前記加熱体は、前記電磁コイルの電磁誘導によって加熱されるように前記ベースの収納部の中に収納され、
前記ベースの収納部の中には、前記加熱体を支持する複数の支持脚が設置され、且つ１つ以上の支持脚は、導熱性が高い支持脚であり、１つ以上の支持脚には、前記加熱体の温度を検出する温度検出センサーが設置され、
前記温度検出センサーは、ベースの中の制御システムに電気的に接続されていることを特徴とする電磁加熱型焼肉用装置。
【請求項２】
前記複数の支持脚は、前記陶磁板の外部に固定されていることを特徴とする請求項１に記載の電磁加熱型焼肉用装置。
【請求項３】
導熱性がよい前記支持脚は、前記ベースに固定されている金属体であることを特徴とする請求項１又は２に記載の電磁加熱型焼肉用装置。
【請求項４】
前記金属体が弾性板体であることを特徴とする請求項３に記載の電磁加熱型焼肉用装置。
【請求項５】
前記ベースには、耐熱型支持部が形成され、前記陶磁板は、前記耐熱型支持部の中央部に係合され、前記支持脚は、前記陶磁板の周囲の耐熱型支持部に固定されていることを特徴とする請求項１に記載の電磁加熱型焼肉用装置。
【考案の詳細な説明】
【技術分野】
【０００１】
本考案は、電磁加熱型調理器に関し、特に、電磁加熱型焼肉用装置に関する。
【背景技術】
【０００２】
現在の焼肉用装置は、加熱方式により抵抗加熱型焼肉用装置と電磁加熱型焼肉用装置に分けることができる。抵抗加熱型焼肉用装置は、加熱速度が遅く、安全性が低い欠点がある。前記電磁加熱型焼肉用装置は、加熱速度が速く、安全性が高い利点があり、人々に人気がある。しかし、前記電磁加熱型焼肉用装置の加熱速度が速いので、その温度を細く制御しないと、焼肉が過熱して焦げてしまうおそれがある。そのため、電磁加熱型焼肉用装置に温度制御装置を設置して、電磁加熱型焼肉用装置の温度を素早く、正確に制御する必要がある。
【考案の概要】
【考案が解決しようとする課題】
【０００３】
本考案の主な目的は、安全であり、且つ焼肉用装置の温度を素早く、正確に制御することができる電磁加熱型焼肉用装置を提供することにある。
【０００４】
本考案の他の目的は、構造が簡単であり、製造が容易である電磁加熱型焼肉用装置を提供することにある。
【課題を解決するための手段】
【０００５】
上記課題を解決するために本考案では、ベースと、電気コイルと、陶磁板と、加熱体と、を含む電磁加熱型焼肉用装置を提供する。前記加熱体は、前記電磁コイルの電磁誘導により加熱されるように前記ベースの収納部の中に収納されている。前記ベースの収納部の中には、前記加熱体を支持する複数の支持脚が設置されている。複数の支持脚の中で、１つ以上の支持脚が導熱性が高い支持脚に構成され、１つ以上の支持脚には、前記加熱体の温度を検出する温度検出センサーが設置されている。前記温度検出センサーは、ベースの中の制御システムに電気的に接続されている。
【０００６】
上述する電磁加熱型焼肉用装置において、前記複数の支持脚が前記陶磁板の外部に固定されている。
【０００７】
上述する電磁加熱型焼肉用装置において、導熱性がよい前記支持脚は、前記ベースに固定されている金属体である。例えば、前記ベースに固定されている弾性金属板体である。
【０００８】
上述する電磁加熱型焼肉用装置において、前記ベースには耐熱型支持部が形成されている。前記陶磁板は、前記耐熱型支持部の中央部に係合されている。前記支持脚は、前記陶磁板の周囲の耐熱型支持部に固定されている。
【考案の効果】
【０００９】
上述する本考案の電磁加熱型焼肉用装置は、前記電磁コイルの電磁誘導によって加熱されるので、加熱速度が速く、加熱効率が高く、安全性が高いという利点がある。且つ、前記加熱体を支持する前記支持脚を温度検出用測定点にするので、温度を安定、正確に検出し、電磁加熱型焼肉用装置の温度を素早く、正確に制御することができる。
【図面の簡単な説明】
【００１０】
【図１】本考案の実施形態に係る電磁加熱型焼肉用装置を示す側面図である。
【図２】図１の電磁加熱型焼肉用装置のＡ部を拡大して示す断面図である。
【図３】本考案の実施形態に係る電磁加熱型焼肉用装置を示す分解図である。
【図４】本考案の電磁加熱型焼肉用装置の支持脚の分布を示す表面図である。
【考案を実施するための形態】
【００１１】
以下、本考案に添付される図を参照しながら、本考案の実施形態に係る電磁加熱型焼肉用装置に対して詳しく説明する。
【００１２】
図１〜図３に示すように、本考案の電磁加熱型焼肉用装置は、主にベース１０と、電磁コイル２０と、加熱体３０と、を含む。
【００１３】
前記加熱体３０は、前記ベース１０の収納部の中に収納されて、前記電磁コイル２０の電磁誘導によって加熱される。前記ベース１０の収納部の中には、前記加熱体３０を支持する複数の支持脚４０が形成されている。前記複数の支持脚４０の中で、１つ以上の支持脚４０が導熱性がよい支持脚であり、１つ以上の支持脚４０には加熱体３０の温度を検出する温度検出センサー５０が設置されている。前記温度検出センサー５０は、ベース１０の中の制御システムに電気的に接続されている。前記制御システムは、クッキングヒーターなどのような電磁加熱型装置に広く使用されているので、その制御システムの機能或いは原理などに対しては詳しい説明を省略する。
【００１４】
導熱する前記支持脚４０は、前記ベース１０に固定されている金属体である。例えば、ベース１０に固定されている弾性板状体である。前記支持脚４０は、リベット、溶接、係合などのような方法によって前記ベース１０に固定されている。前記温度検出センサー５０は、実装、リベットなどのような方法によって前記支持脚４０に面接触されている。本実施形態の温度検出センサー５０は、前記弾性圧接部５１によって前記支持脚４０に圧接されている。導熱する前記支持脚４０は、弾性板状体に構成され、前記弾性圧接部５１は、リベットによって前記弾性板状体に固定されている。前記記弾性圧接部５１を直接に前記弾性板状体に固定させると、弾性圧接部５１と弾性板状体との間に熱伝導路が形成される。図２、図３に示すように、前記弾性板状体を前記加熱体３０の底面に緊密に接触させる方法で前記加熱体３０の温度を検出することができる。他の実施形態で、前記支持脚４０を弾性板状体に形成せずに、導熱できる他の形状に形成してもよい。
【００１５】
前記ベース１０には、支持部１１が形成されている。前記支持部１１は、中央部が円弧状に形成されている環状体である、即ち前記加熱体３０を載せる収納部が形成されている環状体である。前記支持部１１は、耐熱型支持部であり、前記加熱体３０は、焼肉プレートである。前記電磁コイル２０の上方には、陶磁板１２が設置され、前記陶磁板１２の周囲には、前記複数の支持脚４０が設置されている。前記複数の支持脚４０は、前記陶磁板１２より高く設置されて、前記加熱体３０を支持する。前記陶磁板１２は、防水するように前記支持部１１の中央部に係合されている平板型陶磁板である。前記支持脚４０は、リベット、溶接、係合などによって前記支持部１１に固定されている。前記支持脚４０と前記支持部１１を一体に形成してもよい。図４は、３つの支持脚４０が平均に設置されていることを示す図である。前記３つの支持脚４０は、導熱性がよい弾性板状体に構成されている。前記支持脚４０ごとに温度検出センサー５０が設置されているので、前記加熱体３０の各点の温度を検出することができる。前記支持脚４０が前記支持部１１に固定されているので、前記陶磁板１２に支持脚固定用穴部を形成することが必要がない。即ち、前記陶磁板１２に支持脚固定用穴部を形成する従来技術の欠点を避けることができるので、陶磁板１２の完璧な平面を保て、陶磁板１２の製造を簡単にすることができる。
【００１６】
本考案で、非導熱型支持脚４０とベース１０を同時に形成することができる。例えば、射出成形によって一体に成形することができる。又は、両者を別々に成形した後、一体に組み立ててることもできる。
【００１７】
本考案の支持脚４０は、以下の方法で組み立てることもできる。即ち、前記支持脚４０にＵ形トングを形成し、前記Ｕ形トングを前記陶磁板１２の外縁に挟んで、Ｕ形トングと陶磁板１２を一体に固定することができる。これにより、前記支持脚４０と前記陶磁板１２を一体に固定されるだけでなく、前記陶磁板１２の構造を破壊することを避けることができる。
【００１８】
本考案の実施形態の電磁加熱型焼肉用装置において、前記加熱体３０が前記支持脚４０に緊密に接触するように前記ベース１０の収納部に載せられ、且つ前記支持脚４０と前記温度検出センサー５０によって熱伝導路が形成されているので、前記温度検出センサー５０が前記加熱体３０の温度を検出することができる。本考案の電磁加熱型焼肉用装置を製造する場合、前記支持脚４０に設置されている前記温度検出センサー５０が直接に前記加熱体３０の底面に接触するように設けることができる。前記加熱体３０が前記電磁コイル２０の電磁誘導によって加熱されるので、焼肉を作るだけでなく、加熱速度が速く、加熱効率がよく、安全性が高いという利点を招くことができる。且つ、前記加熱体を支持する支持脚を温度検出が可能な箇所に位置させるため、温度を安定、正確に検出し、電磁加熱型焼肉用装置の温度を素早く、正確に制御することができる。
【００１９】
上述のように本考案はいくつかの実施例を開示しているが、本考案の保護範囲を限定するものではない。本考案の技術は、電磁加熱型焼肉用装置だけではなく、他の電磁加熱装置にも適用することもできる。例えば、卓上型電磁調理器、電磁圧力鍋などに使って、これらの温度を素早く、正確に測定し、安定性を保つことができる。即ち、本考案の主旨及び範囲を逸脱せずに行う各種の改良又は変更は、本考案の請求項に当然含まれるものとする。
【符号の説明】
【００２０】
１０  ベース
１１  支持部
１２  陶磁板
２０  電気コイル
３０  加熱体
４０  支持脚
５０  温度検出センサー
５１  弾性圧接部
【図１】
0003174371.tif 000003
【図２】
0003174371.tif 000004
【図３】
0003174371.tif 000005
【図４】
0003174371.tif 000006